(57)【特許請求の範囲】
【請求項１】
互いに対向する第１の側片及び第２の側片と、
前記第１の側片の端部と前記第２の側片の端部との間を繋ぐ下片と、
前記第１の側片の前記下片とは反対側の端部から前記第２の側片に向かって延びた形状の第１の分割片と、
前記第２の側片の前記下片とは反対側の端部から前記第１の側片に向かって延びた形状の第２の分割片とを備えるケーブルクランプであって、
前記第２の分割片の第２の側片と反対側の端部は、前記第１の分割片の第１の側片と反対側の端部に比べて、前記下片との間隔が狭く、
電線及び前記ケーブルクランプを収納するベースに挟まれることにより、前記第１の側片と前記第２の側片との間隔が狭くなる向きの力を前記ベースから受けるように構成されている
ことを特徴とするケーブルクランプ。
【請求項２】
前記第２の分割片は、段差を有し、
前記第２の分割片は、前記段差より前記第２の側片側の部分が、前記段差より前記第１の側片側の部分に比べて、前記下片との間隔が広くなるように構成されている
ことを特徴とする請求項１に記載のケーブルクランプ。
【請求項３】
ケーブルクランプと、
電線及び前記ケーブルクランプを収納するベースと、
前記ベースに被せるキャップとを備え、
前記ケーブルクランプは、
互いに対向する第１の側片及び第２の側片と、
前記第１の側片の端部と前記第２の側片の端部との間を繋ぐ下片と、
前記第１の側片の前記下片とは反対側の端部から前記第２の側片に向かって延びた形状の第１の分割片と、
前記第２の側片の前記下片とは反対側の端部から前記第１の側片に向かって延びた形状の第２の分割片とを備え、
前記第２の分割片の第２の側片と反対側の端部は、前記第１の分割片の第１の側片と反対側の端部に比べて、前記下片との間隔が狭く、
前記ベースに収納された状態において、前記ベースに挟まれることにより、前記第１の側片と前記第２の側片との間隔が狭くなる向きの力を前記ベースから受けるように構成されている
ことを特徴とする配線モール。
【発明の詳細な説明】
【技術分野】
【０００１】
本発明は、一般にケーブルクランプ及び配線モールに関し、より詳細には、電線を束ねるケーブルクランプと、電線を収納し保護する配線モールに関する。
【背景技術】
【０００２】
配線モールは、例えば屋内に電線を配線する際の電線の保護カバーとして用いられ、電線の劣化や損傷を防止する。
【０００３】
このような配線モールの一例として、床面に電線を配線する際に電線を案内保護するための配線用モールが提案されている（例えば、特許文献１参照）。この配線用モールは、金属板製であって、床面に接着固定するベース（特許文献１では「本体」）と、ベースと一体化されるキャップ（特許文献１では「カバー」）とから成る。この配線モールにより、収納されている電線を重量物から保護することができる。
【先行技術文献】
【特許文献】
【０００４】
【特許文献１】特開２００５−６５４２８号公報
【発明の概要】
【発明が解決しようとする課題】
【０００５】
上記の従来例において、配線モール（配線用モール）を天井や壁に設置する場合、天井や壁に固定した本体に電線を収納しカバーを被せようとすると、カバーを被せる前に電線が重力で落下してしまう。そのため、本体に電線とカバーとを同時に取り付ける必要があり、施工しにくいという問題があった。
【０００６】
本発明は上記事由に鑑みて為されており、天井や壁に容易に配線施工するためのケーブルクランプ及び配線モールを提供することを目的とする。
【課題を解決するための手段】
【０００７】
本発明のケーブルクランプは、互いに対向する第１の側片及び第２の側片と、第１の側片の端部と第２の側片の端部との間を繋ぐ下片と、第１の側片の下片とは反対側の端部から第２の側片に向かって延びた形状の第１の分割片と、第２の側片の下片とは反対側の端部から第１の側片に向かって延びた形状の第２の分割片とを備えるケーブルクランプであって、第２の分割片の第２の側片と反対側の端部は、第１の分割片の第１の側片と反対側の端部に比べて、下片との間隔が狭く、電線及びケーブルクランプを収納するベースに挟まれることにより、第１の側片と第２の側片との間隔が狭くなる向きの力をベースから受けるように構成されていることを特徴とする。
【０００８】
また、本発明の配線モールは、ケーブルクランプと、電線及び上記ケーブルクランプを収納するベースと、ベースに被せるキャップとを備え、ケーブルクランプは、互いに対向する第１の側片及び第２の側片と、第１の側片の端部と第２の側片の端部との間を繋ぐ下片と、第１の側片の下片とは反対側の端部から第２の側片に向かって延びた形状の第１の分割片と、第２の側片の下片とは反対側の端部から第１の側片に向かって延びた形状の第２の分割片とを備え、第２の分割片の第２の側片と反対側の端部は、第１の分割片の第１の側片と反対側の端部に比べて、下片との間隔が狭く、ベースに収納された状態において、ベースに挟まれることにより、第１の側片と第２の側片との間隔が狭くなる向きの力をベースから受けるように構成されているとを特徴とする。
【発明の効果】
【０００９】
本発明により、天井や壁に容易に配線施工するためのケーブルクランプ及び配線モールを提供することができる。
【図面の簡単な説明】
【００１０】
【図１】実施形態１のケーブルクランプを含む配線モールの断面図である。
【図２】実施形態１の配線モールの構成図である。
【図３】図３Ａは実施形態１におけるベースの断面図であり、図３Ｂは実施形態１におけるキャップの断面図であり、図３Ｃは実施形態１におけるベースとキャップとを組み合わせた状態の断面図である。
【図４】図４Ａは実施形態１のケーブルクランプの断面図であり、図４Ｂは実施形態１のケーブルクランプの斜視図である。
【図５】実施形態１の配線モールを用いて配線する場合の説明図である。
【発明を実施するための形態】
【００１１】
（実施形態１）
図１に、本実施形態に係るケーブルクランプ１を含む配線モール３の断面を示す。このケーブルクランプ１は、互いに対向する第１の側片１１５及び第２の側片１１６と、下片１４と、第１の分割片１３２と、第２の分割片１３３とを備える。下片１４は、第１の側片１１５の端部と第２の側片１１６の端部との間を繋ぐ。第１の分割片１３２は、第１の側片１１５の下片１４とは反対側の端部から第２の側片１１６に向かって延びた形状である。第２の分割片１３３は、第２の側片１１６の下片１４とは反対側の端部から第１の側片１１５に向かって延びた形状である。第２の分割片１３３の第２の側片１１６と反対側の端部は、第１の分割片１３２の第１の側片１１５と反対側の端部に比べて、下片１４との間隔が狭い。
【００１２】
以下、本実施形態におけるケーブルクランプ１及び配線モール３の構成について、詳細に説明する。ただし、以下に説明する構成は本発明の一例に過ぎず、本発明は下記実施形態に限定されることはなく、設計等に応じて種々の変更が可能である。
【００１３】
本実施形態におけるケーブルクランプ１は、例えば合成樹脂製であり、図２に示すように、配線モール３の一部として配線モール３の内部に取り付けられる。配線モール３は、ケーブルクランプ１と、ケーブルクランプ１及び電線２を収納する形状のベース４と、ベース４に被せるキャップ５とを備えている。ベース４とキャップ５とは、例えば鋼などの金属製である。配線モール３は、床、壁、及び天井などの構造物６に電力線や信号線などの電線２を配線する場合において、電線２を収納・保護する保護カバーである。ケーブルクランプ１は、配線モール３内に着脱可能に取り付けられ、配線作業時に配線モール３内に収納した電線２を仮留めする留め具である。
【００１４】
ここで説明のため、配線モール３において、構造物６に垂直な方向をＹ軸方向、電線２の長手方向に平行な方向をＺ軸方向、Ｙ軸方向及びＺ軸方向に垂直な方向をＸ軸方向とする。なお、上記の方向は、配線モール３を構成するケーブルクランプ１、ベース４、及びキャップ５の各々に対しても適用する。
【００１５】
図３Ａに、本実施形態におけるベース４のＸ−Ｙ断面を示す。ベース４は全体として、Ｘ−Ｙ断面がＵ字状でＺ軸方向の奥行が長いレール状になるよう構成されている。この構成により、ベース４の内部にはケーブルクランプ１及び電線２（図１参照）が収納される収納スペース４０が形成される。
【００１６】
ベース４は、長手方向がＺ軸に平行になるように構造物６に取り付けられる平板状の底板４１と、底板４１のＸ軸方向における両端部からＹ軸方向の一方に立ち上がる一対のベース側板４２とを有する。
【００１７】
底板４１は、例えばＸ軸方向の中心部に沿って、取付ねじ４１２を通す透孔４１１が一定間隔で設けられており、底板４１を取付ねじ４１２によって構造物６に固定することで、ベース４は構造物６に固定して設置される。
【００１８】
ベース側板４２の各々は、Ｙ軸方向の中心部付近を頂点として収納スペース４０とは逆側に凸となるように屈曲している。本実施形態では、ベース側板４２において、頂点を境に底板４１側をベース下側板４２２、底板４１と反対側をベース上側板４２１とする。ベース側板４２の屈曲により、対向する一対のベース上側板４２１間の距離（板厚は含めない）は底板４１から離れるにつれて徐々に小さくなり、対向する一対のベース下側板４２２間の距離（板厚は含めない）は底板４１から離れるにつれて徐々に大きくなる。
【００１９】
ベース側板４２の各々は、ベース上側板４２１とベース下側板４２２との境目において、収納スペース４０側の面に受け部４２３を有し、受け部４２３と反対の面にキャップ５が被せられた状態を保持するための保持部４２４を有する。
【００２０】
図３Ｂに、本実施形態におけるキャップ５のＸ−Ｙ断面を示す。キャップ５は全体として、Ｘ−Ｙ断面がＵ字状でＺ軸方向の奥行長さが図３Ａのベース４と同じであるレール状になるよう構成されている。この構成により、キャップ５の内部には、図１で示したケーブルクランプ１、電線２及び図３Ａで示したベース４が収納される保護スペース５０が形成される。
【００２１】
キャップ５は、長手方向がＺ軸に平行になるように図３Ａに示すベース４の開口部を覆う平板状の覆い板５１と、覆い板５１のＸ軸方向における両端部からＹ軸方向の一方に立ち上がる一対のキャップ側板５２とを有する。なお、キャップ５は、図３Ａに示すベース４全体を覆うことができる大きさである。
【００２２】
キャップ側板５２の各々は、例えばＺ軸方向の両端部付近において、一部が保護スペース５０側に凹む凹み部５２１を有する。この凹み部５２１は、キャップ５を図３Ａに示すベース４に被せた状態においてベース下側板４２２（図３Ａ参照）に接する保持面５２２を有し、キャップ５は保持面５２２において図３Ａに示すベース４を挟み込むように被せられる。
【００２３】
図３Ｃに、ベース４にキャップ５を被せた状態のＸ−Ｙ断面を示す。キャップ５がベース４に被せられている場合、キャップ５の凹み部５２１は、Ｙ軸方向においてベース側板４２の保持部４２４より底板４１側にはめ込まれ、ベース４を外側から挟み込む状態となる。この状態で、キャップ５をベース４に被せる方向と逆向きの方向に外力がキャップ５に加わると、保持面５２２とベース下側板４２２との間において摩擦力がはたらくため、ある程度の外力まではキャップ５がベース４に被せられた状態が保持される。
【００２４】
次に、ケーブルクランプ１の構成について、以下に詳しく説明する。図４Ａ及び図４Ｂに示すように、ケーブルクランプ１は、電線２が通る通線空間１２の四方を取り囲む四角の枠状に形成されている。この枠を構成する辺のうち、図１のように、ケーブルクランプ１が配線モール３の一部としてベース４に収納されている状態で、ベース側板４２に対向する２辺を側片１１（第１の側片１１５及び第２の側片１１６）とする。また、ベース４の底板４１に対向する辺を下片１４、キャップ５の覆い板５１に対向する辺を上片１３とする。
【００２５】
ケーブルクランプ１がベース４に収納されていない状態では、図４Ａおよび図４Ｂのように、ケーブルクランプ１の上片１３はＸ軸方向の中心部付近を境に第１の分割片１３２と第２の分割片１３３とに２分割されており、２つの部分の間は電線２が挿入される挿入口１３１である。第１の分割片１３２は第１の側片１１５の端部に繋がっており、第２の分割片１３３は第２の側片１１６の端部に繋がっている。
【００２６】
対向する第１の分割片１３２と下片１４との間の距離（板厚を含めない）は、Ｘ軸方向において挿入口１３１に近づくにつれて徐々に大きくなる。第２の分割片１３３は、Ｘ軸方向の中心部付近に段差１３４を有し、段差１３４から挿入口１３１側が通線空間１２側に凹んでいる。言い換えれば、第２の分割片１３３の第２の側片１１６と反対側の端部は、第１の分割片１３２の第１の側片１１５と反対側の端部に比べて、下片１４との間隔が狭くなる。
【００２７】
また、第２の分割片１３３は、Ｘ軸方向において、第２の側片１１６と段差１３４との間及び段差１３４と挿入口１３１との間の各々において、対向する第２の分割片１３３と下片１４との間の距離（板厚を含めない）が挿入口１３１に近づくにつれて徐々に大きくなる。
【００２８】
ケーブルクランプ１の側片１１において、ベース４の受け部４２３に対向する位置（図１参照）を境に上片１３側を上側片１１２とし、下片１４側を下側片１１３とする。上側片１１２は、上側片１１２と下側片１１３との境目から上片１３に向かう所定の範囲において、通線空間１２側に凸になるように側片１１の一部が湾曲している湾曲部１１４を有する。湾曲部１１４の下片１４側の端部は、通線空間１２と反対側の面において、下側片１１３との間にできる角が鋭角（直角に近い方が望ましい）になるように形成されている。これにより、上側片１１２と下側片１１３との境目には、通線空間１２と反対側に凸となる突起１１１が形成される。
【００２９】
ケーブルクランプ１のＸ−Ｙ断面は、突起１１１より下片１４側がベース４の内部（図３Ａ参照）に沿った形状をしており、これによりケーブルクランプ１はベース４内に隙間なくはめ込まれる。また、ケーブルクランプ１のＸ−Ｙ断面において、ケーブルクランプ１の側片１１のうち突起１１１より上片１３側は、湾曲部１１４を除いて、対向する一対の側片１１間の距離（板厚は含めない）が一定となるような形状である。すなわち、ケーブルクランプ１の側片１１のうち突起１１１より上片１３側は、対向する一対の側片１１間の距離（板厚は含めない）が、対向する一対のベース上側板４２１（図３Ａ参照）間の距離（板厚は含めない）より大きい。なお、ケーブルクランプ１のＸ−Ｙ断面において、突起１１１から上片１３までを上側片１１２とし、突起１１１から下片１４までを下側片１１３とする。
【００３０】
図１のように、ケーブルクランプ１がベース４に収納されている状態では、ケーブルクランプ１の上側片１１２がベース上側板４２１に外側から挟まれることで、上側片１１２は通線空間１２側に傾く。それに伴い、第１の分割片１３２及び第２の分割片１３３も通線空間１２側に傾き、第１の分割片１３２と第２の分割片１３３とは下片１４にほぼ平行になる。言い換えれば、ケーブルクランプ１は、ベース４に収納された状態において、ベース４のベース上側板４２１に挟まれることにより、第１の側片１１５と第２の側片１１６との間隔が狭くなる向きの力をベース４から受ける。
【００３１】
さらに、第２の分割片１３３はＸ軸方向の中心部付近に段差１３４を有しているため、ケーブルクランプ１がベース４にはめ込まれる際に第２の分割片１３３は第１の分割片１３２と衝突することがなく、ケーブルクランプ１はスムーズにベース４にはめ込まれる。なお、このときの挿入口１３１のＸ軸方向の寸法は、電線２の径より小さい方が望ましい。
【００３２】
ケーブルクランプ１のＺ軸方向の寸法は、ベース側板４２のＺ軸方向の寸法よりも十分短く、ベース４のＺ軸方向には、透孔４１１とは互いに干渉しないように複数のケーブルクランプ１が取り付けられる。また、ケーブルクランプ１のＹ軸方向の寸法は、ベース４の収納スペース４０（図３Ａ参照）に隙間なく収納される程度の寸法である。
【００３３】
上述したように、ケーブルクランプ１がベース４に収納されている状態では、ケーブルクランプ１がベース４に収納される前において下片１４に垂直であったケーブルクランプ１の上側片１１２は、ベース上側板４２１に沿って通線空間１２側に傾く。このとき、ケーブルクランプ１の側片１１は、突起１１１が通線空間１２と逆側に張り出すこととなり、突起１１１は受け部４２３に引掛りやすくなる。
【００３４】
上記より、ケーブルクランプ１は、下片１４と下側片１１３（図４Ａ及び図４Ｂ参照）とがベース４に沿った形状であるため、容易にはめ込むことができる。また、ケーブルクランプ１がベース４にはめ込まれると、上側片１１２がベース上側板４２１に外側から挟み込まれ、さらにベース４の受け部４２３にケーブルクランプ１の突起１１１が引掛りやすくなる。よって、ケーブルクランプ１は、ベース４にはめ込まれた後、ベース４から外れにくい。
【００３５】
さらに、ケーブルクランプ１の第２の分割片１３３は段差１３４を有しているため、ケーブルクランプ１がベース４にはめ込まれる際に第１の分割片１３２と第２の分割片１３３とが衝突することがない。
【００３６】
以下、本実施形態におけるケーブルクランプ１を用いて構造物６である天井に配線する場合について説明する。
【００３７】
図５に示すように、本実施形態の配線モール３（図１参照）を用いて電線２を構造物６に取り付ける場合、先ず、構造物６の取付面に対してベース４の底板４１が平行になるように、透孔４１１に取付ねじ４１２によってベース４が取り付けられる。次に、ベース４の長手方向に沿って等間隔に複数のケーブルクランプ１がはめ込まれる。このとき、ケーブルクランプ１は作業者がベース４に押し込むことで容易にはめ込まれ、図１に示すように、ケーブルクランプ１の突起１１１がベース４の受け部４２３に引掛る。
【００３８】
ここで、ベース４にはめ込まれたケーブルクランプ１には、はめ込まれた方向と逆向きの重力がかかるため、重力に対抗する力が加わらなければ、ケーブルクランプ１はベース４から外れて落下する。よってこの場合、ケーブルクランプ１を接着テープなどでベース４に固定するか、もしくは、予めケーブルクランプ１に収納した電線２とキャップ５とを同時にベース４にはめ込んでいく、などといった作業が必要となる。
【００３９】
本実施形態の配線モール３（図１参照）では、突起１１１が受け部４２３に引掛る力と、ベース上側板４２１とケーブルクランプ１の上側片１１２との摩擦力が、重力と逆向きにはたらくため、ケーブルクランプ１はベース４内に保持される。
【００４０】
上記のように、構造物６にベース４及びケーブルクランプ１が取り付けられた後、電線２が挿入口１３１を通してケーブルクランプ１内に収納される。これにより、電線２は、ベース４に保持され、仮留めの状態となる。さらに、作業者はベース４にキャップ５を被せる。
【００４１】
ここで、ベース４の外側に被せられたキャップ５には、ケーブルクランプ１と同様に、被せた方向と逆向きの重力がかかるため、重力に対抗する力が加わらなければ、キャップ５はベース４から外れて落下する。
【００４２】
本実施形態の配線モール３（図１参照）では、キャップ５の凹み部５２１は、ベース側板４２の保持部４２４より底板４１側にはめ込まれ、ベース４を外側から挟み込む状態となっている。また、凹み部５２１は、ベース側板４２と接する保持面５２２を有している。この保持面５２２とベース下側板４２２との間の摩擦力が重力と逆向きにはたらくため、キャップ５はベース４から外れることなくベース４に保持される。
【００４３】
よって、本実施形態のケーブルクランプ１及び配線モール３の構成によれば、第１の分割片１３２と第２の分割片１３３との間から電線２をケーブルクランプ１内に挿入できる。よって、ケーブルクランプ１をベース４にはめ込む前にケーブルクランプ１で電線２を束ねておく必要がない。また、ベース４にケーブルクランプ１を取り付ける際に、ケーブルクランプ１の第１の側片１１５と第２の側片１１６との間隔が狭くなっても、第１の分割片１３２と第２の分割片１３３とが衝突しにくい。そのため、ケーブルクランプ１をベース４にはめ込む作業が簡単になる。よって、本実施形態のケーブルクランプ１及び配線モール３を用いれば、電線２を天井や壁などの構造物６に容易に配線施工することが可能である。
【００４４】
なお、ケーブルクランプ１の側片１１は、湾曲部１１４や突起１１１を有していなくてもよい。例えば、ケーブルクランプ１が、下片１４のベース４側に接着テープを有し、下片１４とベース４とが接着されることにより、ケーブルクランプ１がベース４に保持される構成でもよい。
【００４５】
ベース４は、ケーブルクランプ１側の面に設けられ突起１１１を引掛ける受け部４２３と、ケーブルクランプ１側と反対側の面に設けられキャップ５を保持する保持部４２４とを有していなくてもよい。配線時において、ベース４にはめ込まれたケーブルクランプ１はベース４から外れにくく、ベース４に被せられたキャップ５はベース４から外れにくい構成であればよい。
【００４６】
ケーブルクランプ１の下片１４は、対向する一対の側片１１の各々に対して直交する平板状でなくてもよく、下片１４及び側片１１のＸ−Ｙ断面がＵ字状となる構成でもよい。
【００４７】
第２の分割片１３３は、本実施形態のように、段差１３４を有し、段差１３４より第２の側片１１６側の部分が段差１３４より第１の側片１１５側の部分に比べて、下片１４との間隔が広くなるように構成されていることが望ましい。これにより、第２の分割片１３３が段差１３４を有していない場合に比べて、ケーブルクランプ１の通線空間１２は広くなる。
【００４８】
配線モール３は、本実施形態のように、ケーブルクランプ１と、電線２及びケーブルクランプ１を収納するベース４と、ベース４に被せるキャップ５とを備えていることが望ましい。また、ケーブルクランプ１は、ベース４に収納された状態において、ベース４に挟まれることにより、第１の側片１１５と第２の側片１１６との間隔が狭くなる向きの力をベース４から受けるように構成されていることが望ましい。これにより、第１の分割片１３２と第２の分割片１３３とが衝突しにくくなり、ベース４にケーブルクランプ１を容易に収納することができる。
【符号の説明】
【００４９】
１  ケーブルクランプ
１１５  第１の側片
１１６  第２の側片
１３２  第１の分割片
１３３  第２の分割片
１３４  段差
１４  下片
２  電線
３  配線モール
４  ベース
５  キャップ
【図１】
0006399441.tif 000002
【図２】
0006399441.tif 000003
【図３】
0006399441.tif 000004
【図４】
0006399441.tif 000005
【図５】
0006399441.tif 000006